(57)【特許請求の範囲】
【請求項１】
ベッドのサイドフレームに支持され、使用者がベッドから転落するのを防止する転倒防止部材と、
前記転倒防止部材に対して、ヒンジ部を介して回動可能な開閉部材と、
前記ヒンジ部に配設され、使用者がベッドから降りる際に足元を照らす光源と、
を備え、
前記ヒンジ部に前記開閉部材の回動を検知する検知部、及び前記開閉部材を開閉自在とするレバー部を備え、
前記レバー部の操作に基づいて、前記検知部が前記レバー部の操作を検知し、前記光源を点灯させるベッド装置。
【請求項２】
ベッドのサイドフレームに支持され、使用者がベッドから転落するのを防止する転倒防止部材と、
前記転倒防止部材に対して、ヒンジ部を介して回動可能な開閉部材と、
前記ヒンジ部に配設され、使用者がベッドから降りる際に足元を照らす光源と、
を備え、
前記ヒンジ部に前記開閉部材の回動を検知する検知部を備え、
前記ヒンジ部は、中空のシャフト部を有し、
前記検知部と前記光源をつなぐ配線は、前記シャフト部の孔部に配設されているベッド装置。
【請求項３】
前記ヒンジ部は、中空のシャフト部を有し、
前記検知部と前記光源をつなぐ配線は、前記シャフト部の孔部に配設されていることを特徴とする請求項１に記載のベッド装置。
【請求項４】
前記光源は、前記ヒンジ部の下方に向けて照らすことを特徴とする請求項１乃至請求項３のいずれか１項に記載のベッド装置。
【請求項５】
前記ヒンジ部は、前記転倒防止部材に連結される部材及び前記開閉部材に連結される部材を備え、
前記光源は、前記転倒防止部材に連結される部材または前記開閉部材に連結される部材に取り付けられていることを特徴とする請求項１乃至請求項４のいずれか１項に記載のベッド装置。
【発明の詳細な説明】
【技術分野】
【０００１】
本発明は、足元照明を備えたベッド装置に関するものである。
【背景技術】
【０００２】
従来、ベッド装置は、使用者の在床を検出するためベッドの下方に使用者の体重を検知する荷重センサを設け、使用者がベッドから離れる際に、荷重センサからの出力によって自動で照明器具を点灯する自動照明制御機構を備えたものが知られている（特許文献１参照）。
【０００３】
また、介護ベッドではベッドのサイドフレームに使用者の転倒を防止する転倒防止部材を取り付け、使用者がベッドから離れる場合やベッドに入る場合に転倒防止部材を開閉操作するが、この開閉部材には自由な開閉扉の開閉を禁止するロック機構をヒンジ部に備えた構成が知られている（特許文献２参照）。
【先行技術文献】
【特許文献】
【０００４】
【特許文献１】特開２００９−６６０６８号公報
【特許文献２】特開２０１１−８７８０３号公報
【発明の概要】
【発明が解決しようとする課題】
【０００５】
しかしながら、特許文献１に示されるベッド装置では、使用者がベッドから離れた場合に、使用者の在床をベッドマットの下方に設けられた荷重センサからの出力に基づいて、室内の照明の点灯を制御している。このため、特許文献１では、使用者を検出する荷重センサ（検出手段）および室内の照明を制御する自動制御装置を必要とし、コストが増大するという問題がある。
【０００６】
一方、特許文献２に示されるベッド装置では、ベッドのサイドフレームに回動可能な転倒防止用の開閉扉を備え、使用者がベッドから離れる場合、横に設けられた開閉扉を開閉し、使用者は例えば夜間にベッドから降りて、部屋の照明スイッチの位置まで歩いて行って、部屋の照明をつける必要がある。これは利便性があまり良くなく、部屋の照明をつけるまでの間、使用者は足元が暗くつまずきやすいということが起こり得る。
【０００７】
そこで、本発明は上記した問題点に鑑みて成されたものであり、使用者が夜間にベッドから降りる際に、利便性が良く、効率良く足元照明が行えるベッド装置を提供することを課題とする。
【課題を解決するための手段】
【０００８】
上記した課題を解決するために講じた手段は、ベッドのサイドフレームに支持され、使用者がベッドから転落するのを防止する転倒防止部材と、前記転倒防止部材に対して、ヒンジ部を介して回動可能な開閉部材と、前記ヒンジ部に配設され、使用者がベッドから降りる際に足元を照らす光源と、を備え、前記ヒンジ部に前記開閉部材の回動を検知する検知部、及び前記開閉部材を開閉自在とするレバー部を備え、前記レバー部の操作に基づいて、前記検知部が前記レバー部の操作を検知し、前記光源を点灯させる構成とした。
【０００９】
上記した課題を解決するために講じた手段は、ベッドのサイドフレームに支持され、使用者がベッドから転落するのを防止する転倒防止部材と、前記転倒防止部材に対して、ヒンジ部を介して回動可能な開閉部材と、前記ヒンジ部に配設され、使用者がベッドから降りる際に足元を照らす光源と、を備え、前記ヒンジ部に前記開閉部材の回動を検知する検知部を備え、前記ヒンジ部は、中空のシャフト部を有し、前記検知部と前記光源をつなぐ配線は、前記シャフト部の孔部に配設されている構成とした。
【００１０】
このとき、前記ヒンジ部は、中空のシャフト部を有し、前記検知部と前記光源をつなぐ配線は、前記シャフト部の孔部に配設されているのが好ましい。
【００１１】
また、前記光源は、前記ヒンジ部の下方に向けて照らすのが好ましい。
【００１２】
また、前記ヒンジ部は、前記転倒防止部材に連結される部材及び前記開閉部材に連結される部材を備え、前記光源は、前記転倒防止部材に連結される部材または前記開閉部材に連結される部材に取り付けられているのが好ましい。
【発明の効果】
【００１４】
本発明のベッド装置は、使用者が夜間にベッドから降りる際に、ベッドのサイドフレームに支持された転倒防止部材に対して、開閉部材が開閉自在となるヒンジ部に使用者がベッドから降りる際に足元を照らす光源を設ける構成としたので、使用者は部屋の照明スイッチの位置まで暗い部屋の中を歩いて行って部屋の照明をつける必要がなく、ベッド上で手元の操作によりヒンジ部に設けられた光源を点灯させ、足元を照らすことができ、従来よりも利便性が良くなる。
【００１５】
この場合、ヒンジ部に開閉部材の回動を検知する検知部を備え、開閉部材の開閉操作を検知部により検知でき、使用者のベッドから離れる操作（使用者の意志）を検知して光源により足元を照らすため、従来の如く、使用者の在床を検出する荷重センサ等の検出手段が不要になり、安価なベッド装置を構成することができる。
【００１６】
また、光源がヒンジ部の下方に向けて照らすため、使用者がベッドから降りる際に、床面に近い位置で足元を確実に照らすことができる。
【００１７】
また、開閉部材を開閉させるためのレバー部を備え、レバー部の操作を検知部が検知し、レバー部の操作に連動して光源を点灯させることができ、レバー部の操作により光源の点等を行うことができるので操作性よく、利便性が向上する。
【００１８】
また、検知部と光源をつなぐ配線は、ヒンジ部の周辺にあるシャフト部の孔部に配設されているため、外部に配線が見えなくでき、その結果、見栄えが良くなり、シャフト部の孔部の空間を有効利用できる。また、使用者のベッドからの移動時に検知部と光源とをつなぐ配線にひっかかることが防止でき、使用者の移動時の安全性も向上する。
【００１９】
また、光源は、部品点数を増やすことなく、転倒防止部材に連結される部材または開閉部材に連結される部材に取り付けることができる。
【図面の簡単な説明】
【００２０】
【図１】本発明の実施形態におけるベッド装置の構成を示す斜視図である。
【図２】図１に示すベッド装置のサイドアームと開閉扉の構成を示す側面図である。
【図３】図２に示すベッド装置の開閉扉のロック状態でのＡ部の発明要所の部分断面図である。
【図４】図２に示すベッド装置の開閉扉のアンロック状態でのＡ部の発明要所の部分断面図である。
【図５】図２に示す開閉扉の回動操作を許可/禁止にするクラッチ部（アッパ部材とロア部材）の構成を示す斜視図説明図である。
【発明を実施するための形態】
【００２１】
以下、本発明の実施形態について、図面を参照して詳細に説明する。
【００２２】
図１は、本発明に係る足元照明を備えたベッド装置１の構成を示す。ベッド装置１は、使用者が横たわる頭側および足側にヘッドボードおよびフットボードを有し、骨格を成すベッドフレーム３上にベッドマット１ａを備える。ベッド装置１はベッドフレーム３の長手方向の少なくとも片側のサイドに使用者が床面に落ちないように転落防止用柵２が設けられている。転落防止用柵２は、ベッド装置１の使用者がベッドを使用する際、両腕の側面付近に設けられ、サイドフレーム３ａのサイド方向へと延在する一対の取付穴を有する固定部３ｂに対して、上方から２か所挿入され取り付けられている。転落防止用柵２は、サイドアーム（転倒防止部材）４の一側端に水平方向に回動自在となる開閉扉５が取り付けられ、サイドアーム４と開閉扉５との間にはサイドアーム４に対する開閉扉５の回動を機械的に許容または禁止するロック機構６とを備える。
【００２３】
図２は、本発明の転落防止用柵２の構成を示す側面図である。転倒防止用柵２は、屈曲した略Ｌ字状パイプ４ｂ、４ｃ、４ｄ、４ｅを基部パイプ４ａに溶接等で接合して形成されている。ベースとなる基部パイプ４ａの下方には、サイドフレーム３ａの固定部３ｂの取付穴に、サイドアーム４を取り付けるため２カ所に取り付け部４ｆが設けられ挿入され、固定部３ｂの下方からそれぞれねじ７によって、取り付け部４ｆが固定部３ｂに対して固定される構成となっている。サイドアーム４のＬ字状パイプ４ｅの先端には、ヒンジ部８の上方にはアッパ部材１１が設けられている。開閉扉５は、直線状のセンタパイプ５ｂ、ロアパイプ５ｃ、略Ｌ字状パイプ５ｄを略Ｃ字状５ａに溶接等で接合して扉形状に形成されている。開閉扉５のセンタパイプ５ｂが、ロア部材１２を介して後述するシャフト部材１３に取り付けられ、センタパイプ５ｂは、ロア部材１２およびロア部材１２から鉛直方向に伸びる中空形状のシャフト部材１３は一体で回動する。
【００２４】
図３は、ベッド装置１の開閉扉５のロック状態での図２に示すＡ部での発明要所の部分断面図である。ロア部材１２とシャフト部材１３は、ロア部材１２の下方に形成された凹部１２ａにあるシャフト部材１３の下端のボルト部１３ｂのねじ山にナット１４が螺合して取り付けられている。このような構成によって、開閉扉５の回動により、シャフト部材１３がアッパ部材１１に対して相対的に回動することで、サイドアーム４に対して開閉扉５が回動自在となる。この開閉扉５のシャフト部材１３の下方、即ち、ロア部材１２の下方に形成された凹部に照明具３０（光源）が嵌着して取り付けられている。つまり、照明具３０は、ヒンジ部８と同心で、下方に向けて照らすように配設されている。
【００２５】
操作レバー１５は、使用者が開閉扉５を開閉操作する際に操作するものである。操作レバー１５は、使用者が握って操作するグリップ状の把持部１５ａと把持部１５ａの根元に設けられ把持部１５ａが図３の如く水平状態の場合に後述するスイッチ操作を行う平坦面を有する回動部１５ｂと回動中心となる軸部１５ｃとを有する。操作レバー１５は、操作レバーピン１５ｅを回動中心にして回動自在となり、軸方向移動可能に中空のシャフト部材１３に対して操作レバーピン１５ｅが挿入された状態で取り付けられている。シャフト部材１３の上方に位置するアッパ部材１１と下方に位置するロア部材１２の間には、アッパ部材１１とロア部材１２とを鉛直方向に向けて隔離するよう付勢するコイル状のスプリング１６が間に配設されている。操作レバー１５の回動部１５ｂの下方に、マイクロスイッチ（検知部となり、以下、スイッチと称す）４０がヒンジ部８の上端に備えている。スイッチ４０は、回動部１５ｂに取り付けられた平坦面を有するリング状のスイッチ押圧部４２を有する。回動部１５ｂに設けられたスイッチ押圧部４２の端面が当接面１５ｄでスイッチ（検知部）４０に回動自在に設けられたスイッチレバー４１の自由端を押圧することにより、スイッチ４０のスイッチ状態がオフ（またはオン）になる。スイッチ４０とヒンジ部下方に設けられる照明具３０とは、シャフト部材１３の中空となった孔部１３ａの内部空間内に収納され、２本のプラスとマイナスのリード線（配線）１７によりつながれている。リード線１７の下方は直列接続された電池３６と電気的に接続されている。
【００２６】
内部にＬＥＤ３１を有する筒状を呈した照明具３０は、ロア部材１２の下方に形成された凹部１２ａに圧入により取り付けられている。照明具３０の取り付けは、圧入の他に接着剤で取り付けても良い。照明具３０は、ロア部材１２の下方の回動中心軸の延在方向にＬＥＤ３１を備え、ＬＥＤ３１のアノードとカソード端子が電気的に接続されたＬＥＤ基板３２と、ＬＥＤ３１からの光を下方の足元に向けて拡散させる凸状のレンズ３３およびレンズ３３を保護するレンズホルダー３４とを筐体内部に備えている。照明具３０のユニット化されたケース３５の内部には、２本の電池３６を収納している。電池３６は２本が直列に並設されており、一方がＬＥＤ基板３２に他方が２本のリード線１７の端部とそれぞれつながっている。
【００２７】
操作レバー１５は、図３に示す如く、シャフト部材１３と直角方向の位置（水平方向）にあり、アッパ部材１１とロア部材１２は、両者が凹凸嵌合している場合、開閉扉５は、ロック状態となる。この開閉扉５のロック状態において、操作レバー接触部４２と検知スイッチ接触部４１が接触しており、照明具３０のＬＥＤ３１は点灯しない状態となる。
【００２８】
一方、図４は、ベッド装置１の開閉扉５のアンロック状態のＡ部での発明要所部分断面図である。開閉扉５の開閉操作を行うアンロック状態では、操作レバー１５の把持部１５ａは、図４に示す如く、サイドアーム４側の斜め上方の位置となる。アッパ部材１１とロア部材１２は、アッパ部材１１とロア部材１２とを鉛直方向に隔離させるスプリング１６の付勢力により、アッパ部材１１が上方へと移動してクラッチ２０の凹凸嵌合が外れ、開閉扉５はアンロック状態となる。また、操作レバー接触部４２と検知スイッチ接触部４１が非接触となり、スイッチ状態がオン状態となる。上記の状態において、操作レバー接触部４２と検知スイッチ接触部４１が非接触であり、照明具３０のＬＥＤ３１は点灯する。
【００２９】
図５は、クラッチ部２０の構成を示す斜視図であり、アッパ部材１１とロア部材１２を取り付ける前の状態である。ロア部材１２の上方端面１２ｃの円周方向に複数のピン１２ａが圧入されている。ロア部材１２は、シャフト部材１３が貫通する孔１２ｂを有する中空円筒型となっいる。アッパ部材１１は、下方端面１１ｃの円周方向に複数のピン係合孔１１ａが穿設され、シャフト部材１３が貫通する孔１１ｂを有する中空円筒型である。アッパ部材１１とロア部材１２は、上下方向に合わせられて、ピン１２ａとピン係合孔１１ａが係合することでクラッチ２０が係合状態すなわちロック状態となる。なお、本実施形態においては、シャフト部材１３がロア部材１２と別体の構造となっているが、ロア部材１２と一体的に形成してシャフト部材１３としてもよい。
【００３０】
また、上記実施形態では、照明具３０が取り付けられるロア部材１２は、開閉扉５側の部材であるが、転倒防止部材であるサイドアーム４側の部材とする構成にしても良い。
【００３１】
つぎに、本発明の実施形態による足元照明を備えたベッド装置２による作用（動作）を説明する。
【００３２】
使用者がベッド装置１から降りる際には、図３に示すロック状態にある転倒防止用の開閉扉５を開けるために、使用者は水平方向にある操作レバー１５の把持部１５ａを握って操作して、操作レバー１５を上方に回動させる。この操作によって、アッパ部材１１とロア部材１２とを垂直方向に隔離するように付勢するスプリング１６により、ピン１２ａとピン係合穴１１ａとの係合がはずれ、開閉扉５がアンロック状態になる。このように、操作レバー１５の上方への回動操作により、スイッチ押圧部４２によるスイッチレバー４１の押圧が解除される。その結果、検知部のスイッチ信号が変化し、その接触解除を検知することにより、スイッチ４０からリード線１７によりつながる照明具３０のＬＥＤ３１が、使用者の足元に向けて点灯する。また、開いた開閉扉５を閉めるために、使用者が、操作レバー１５の把持部１５ａを水平方向に回動させることにより、開閉扉５がロックされ、検知スイッチ接触部４２と操作レバー接触部４１が接触することにより照明具３０のＬＥＤ３１が消灯する。なお、ＬＥＤ３１の消灯は、検知スイッチ接触部４２と操作レバー接触部４１が接触した後の一定時間後に設定しても良い。
【００３３】
つぎに、本発明の実施の形態おける効果を説明する。
【００３４】
本発明のベッド装置１は、使用者が夜間にベッド装置１から降りる際に、部屋の照明スイッチの位置まで行って部屋の照明をつける必要がなく、操作レバーの操作により照明具３０の点灯が行えるため、従来よりも利便性が良くなる。また、照明具３０がヒンジ部の下方に取り付けられているため、開閉扉５を開閉しても回動しないため、衝突等による照明具３０の故障が少ない。ヒンジ部に照明具３０を設けるために、空いたスペースを有効利用して簡単な構成で、しかも、安価に足元照明の機構をベッド装置に一緒に設けることも可能となる。
【００３５】
ヒンジ部８に開閉扉５の回動を検知するスイッチ４０を備え、開閉扉５が開いたことを検知して、使用者がベッドから降りる際に、照明具３０が足元を照らすため、使用者の荷重センサ等の検出手段が不要になり、足元照明を備えたベッド装置を安価にすることができる。
【００３６】
また、照明具３０がヒンジ部８の下方に向けて照らすため、開閉扉５の開閉度合いに関わらず、使用者がベッドから降りて移動する際に、足元を確実に照らすことができる。
【００３７】
また、開閉扉５を開閉させるための操作レバー１５を備え、検知部が操作レバー１５の操作を検知し、操作レバー１５の操作に連動して照明具３０を点灯させるための操作性が良い。
【００３８】
また、スイッチ４０と照明具３０をつなぐリード線１７は、ヒンジ部８の周辺にある孔部シャフト部材１３の孔部１３ａに配設されているため、リード線１７が見えなくて見栄えが良く、シャフト部材１３の孔部１３ａの空間を有効利用できる。使用者の移動時のリード線１７へのつまずきを防止でき安全性が向上する。
【符号の説明】
【００３９】
１  ベッド装置
２  転落防止用柵
３  ベッドフレーム
４  サイドアーム（転倒防止部材）
５  開閉扉（開閉部材）
８  ヒンジ部
１３  シャフト部材
１３ａ  孔部
１５  操作レバー１５
２０  クラッチ
３０  照明具（光源）
３１  ＬＥＤ
１７  リード線（配線）
４０  スイッチ（検知部）
４１  スイッチレバー（レバー部）
４２  スイッチ押圧部
【図１】
0005935379.tif 000002
【図２】
0005935379.tif 000003
【図３】
0005935379.tif 000004
【図４】
0005935379.tif 000005
【図５】
0005935379.tif 000006